(57)【要約】      （修正有）【課題】多様な規格の薄型テレビに適応し、薄型アンテナの信号受信の質を保証し、空間を節約し、薄型テレビの見た目と調和を図る新型薄型テレビアンテナを提供する。【解決手段】薄型テレビアンテナは、短冊状の本体１を含み、本体最先端に薄型テレビ頂部最先端に引っ掛けるフロント支持部２を設け、下側にスライドロック機構３及び薄型テレビ背面を支えるリア支持部４を設け、リア支持部はスライドロック機構を通じて前後調節可能に本体に取り付けられる。アンテナが薄型テレビの干渉を受けないようにし、信号受信の質を保証し、薄型テレビ頂部の余剰空間を十分に活用し、見た目の調和を図っている。また本体上で前後にスライド、固定できるリア支持部により、多様な幅規格の薄型テレビに対応できる。【選択図】図１
0003215248.tif 000002
【実用新案登録請求の範囲】
【請求項１】
短冊状の本体を含み、
本体最先端に薄型テレビ頂部最先端に引っ掛けるフロント支持部を設け、
下側にスライドロック機構及び薄型テレビ背面を支えるリア支持部を設け、
リア支持部はスライドロック機構を通じて本体に取り付け、
リア支持部がスライドロック機構を通じて前後調整することを特徴とする、
新型薄型テレビアンテナ。
【請求項２】
前記リア支持部が一定角度を成して連結するリア支持板とスライド固定板を含み、
スライド固定板には前後に伸びる第一滑り溝があり、
第一滑り溝にスライド固定板を前後に調節するのに用いるスライドロック機構を取り付け、
前記第一滑り溝の少なくとも片側に鋸歯があり、
スライドロック機構を本体下側に設置し、かつ鋸歯の歯溝と噛合するＶ型板ばねを挟むように設けるか、または鋸歯の歯溝と噛合するのに用いる歯止めを設けることを特徴とする、
請求項１に述べる新型薄型テレビアンテナ。
【請求項３】
前記リア支持板に引っ掛け穴があることを特徴とする、
請求項２に述べる新型薄型テレビアンテナ。
【請求項４】
前記スライド固定板中央に折り畳むのに用いる回転機構を設け、
回転機構はスライド固定板を二枚のサブプレートに分け、
二枚のサブプレートには回転機構部分にそれぞれ互いに結合するのに用いるロック部とキャッチ部があり、
前記スライドロック機構は第一滑り溝を通り抜ける第一ボルト及び第一ボルト底端に固定する第一スクリューキャップを含み、
対応するように、本体下側に第一ボルトに対応するネジ穴が開いていることを特徴とする、
請求項２に述べる新型薄型テレビアンテナ。
【請求項５】
前記スライド固定板中央に折り畳むのに用いる回転機構を設け、回転機構がスライド固定板を二枚のサブプレートに分け、かつ本体下側に前後に伸びるガイド溝を設け、二枚のサブプレートをガイド溝に挟み、前後移動に用いることを特徴とする、
請求項２に述べる新型薄型テレビアンテナ。
【請求項６】
二枚のサブプレートは連結部でそれぞれ互いに結合できる凸起と溝を有していることを特徴とする、
請求項４に述べる新型薄型テレビアンテナ。
【請求項７】
二枚のサブプレートが連結部の上側で一つに繋がり、すべて直角となり、その中の一枚のサブプレートは連結部の下側が角丸であり、いずれか一枚のサブプレートのみが下に向かって反転できることを特徴とする、
請求項４〜６に述べる新型薄型テレビアンテナ。
【請求項８】
前記リア支持部が一定角度を成して連結するリア支持板とスライド固定板を含み、
スライド固定板とスライドロック機構は互いに係合して取り付け、
本体下側に前後に伸びる第二滑り溝を設け、
第二滑り溝にスライド固定板を前後に調節するのに用いるスライドロック機構を取り付けることを特徴とする、
請求項１に述べる新型薄型テレビアンテナ。
【考案の詳細な説明】
【技術分野】
【０００１】
本実用新案はテレビアンテナ分野に関し、さらに具体的には新型薄型テレビアンテナに関する。
【背景技術】
【０００２】
薄型テレビの幅広い使用に伴い、薄型テレビに適用するアンテナも発展していった。現在の薄型テレビアンテナには主に室外と室内の二種類の方式がある。薄型テレビに適用する室内アンテナ構造については、主に薄型アンテナの方式を採用し、薄型テレビアンテナはさらにプレート式構造と短冊状構造に分かれている。プレート式構造は体積が小さく、どのような位置にも設置できる。例えば薄型テレビの脇または薄型テレビの上方にも設置できるが、信号受信面積が小さく、信号受信効果が悪いため、角度調節で信号の最適化を図る必要がある。そのため、設置構造が複雑さを増している。短冊状の構造は体積が大きく、信号受信効果はよいが、大空間を占用し、設置する位置が選びにくい。通常、短冊状薄型アンテナ構造は主にビスで薄型テレビの上方に吊り下げるか、または台座を通じてテレビの下方に設置する。吊り下げ方式を採用するには壁に穴を開ける必要があり、背景壁がない、または背景壁が孔を開けるのに適さない、または背景壁のない場合、この方式が適用できず、設置に多くの不便が存在する。台座を通じてテレビの下方に設置する方式については、薄型アンテナは薄型テレビの輻射の影響を受け、信号受信が悪く、大空間を占用し、使い勝手が悪い。
【０００３】
そのため、如何にして短冊状の薄型アンテナを適切な位置に取り付けるか、即ちその信号受信の質を保証し、空間を節約し、かつ最適に薄型テレビの見た目と調和を図り、大部分の薄型テレビ規格に適用できるようにするかが、現在解決を迫られている技術問題である。
【考案の概要】
【０００４】
従来技術の欠陥を克服するため、本実用新案は新型薄型テレビアンテナを提供し、多様な規格の薄型テレビに適応し、薄型アンテナの信号受信の質を保証し、空間を節約し、薄型テレビの見た目と調和を図る実用新案の目的を達成する。
【０００５】
前記技術問題に対して、本実用新案は下記技術案を採用する。
【０００６】
短冊状の本体を含み、本体最先端に薄型テレビ頂部最先端に引っ掛けるフロント支持部を設け、下側にスライドロック機構及び薄型テレビ背面を支えるリア支持部を設け、リア支持部はスライドロック機構を通じて本体に取り付け、リア支持部がスライドロック機構を通じて前後調整する新型薄型テレビアンテナ。本実用新案は、フロント支持部とリア支持部の設置を通じて、アンテナ本体を薄型テレビの頂部に設置できるようにし、アンテナは薄型テレビの干渉を受けず、薄型アンテナの信号受信の質を保証している。さらに薄型テレビ頂部の余剰空間を十分に活用し、通常アンテナを設置するのに占用する有効空間を節約している。薄型アンテナの重量が軽く、通常１００g〜３００gの間であるため、フロント支持部とリア支持部は大きくする必要がなく、薄型テレビの見た目と調和を図って一つに設置できる。また、前後にスライドでき、本体上のリア支持部に固定して本特許によりきちんとした適応性をもたらし、多様な幅規格の薄型テレビに対応できる。
【０００７】
さらに、前記リア支持部が一定角度を成して連結するリア支持板とスライド固定板を含み、スライド固定板には前後に伸びる第一滑り溝があり、第一滑り溝にスライド固定板を前後に調節するのに用いるスライドロック機構を取り付ける。前記第一滑り溝の少なくとも片側に鋸歯があり、スライドロック機構を本体下側に設置し、かつ鋸歯の歯溝と噛合するＶ型板ばねを挟むように設けるか、または鋸歯の歯溝と噛合するのに用いる歯止めを設ける。
【０００８】
板ばねの弾性を利用し、スライド固定板を引っ張ったとき、Ｖ型板ばね底端が順番に異なる鋸歯の凹みに嵌り、これによってスライド固定板の前後位置を調節する。歯止めを利用して異なる歯溝上に固定し、これによってスライド固定板の前後位置を調節する。
【０００９】
さらに、前記リア支持板に引っ掛け穴がある。
【００１０】
このような設定によりアンテナ全体を引っ掛け穴で壁面またはその他物体に引っ掛けることができ、ユーザーが様々な場面で使いやすく、利便性が高い。
【００１１】
さらに、前記スライド固定板中央に折り畳むのに用いる回転機構を設け、回転機構はスライド固定板を二枚のサブプレートに分け、二枚のサブプレートには回転機構部分にそれぞれ互いに結合するのに用いるロック部とキャッチ部がある。前記スライドロック機構は第一滑り溝を通り抜ける第一ボルト及び第一ボルト底端に固定する第一スクリューキャップを含み、対応するように、本体下側に第一ボルトに対応するネジ穴が開いている。
【００１２】
リア支持板が前端にあり、スライド固定板が後端にあるとき、現在の薄型テレビは取付時に壁面との距離が近く、またスライド固定板の第一滑り溝はリア支持部を多様な幅規格の薄型テレビに適応させなければならないため、第一滑り溝が長く、スライド固定板も長い場合、スライド固定板は薄型テレビ後端から突き出して壁面にぶつかり、本特許の取り付けに影響を与えてしまう。そのため、ここでは回転機構を設置してスライド固定板を二枚のサブプレートに分けた。即ち、その中の一枚のサブプレートはスライドロック機構と固定するのに用い、もう一枚のサブプレート回転機構を通じて下に向かって回転し、壁面との衝突を回避する。回転する必要がないとき、二枚のサブプレートはロック部とキャッチ部でしっかりと結合固定し、本特許の取り付けへの影響を回避する。スライド固定板は第一滑り溝に沿って適切な位置まで調節し、その後第一スクリューキャップを締め付け、スライド固定板を第一滑り溝に固定する。
【００１３】
前記スライド固定板中央に折り畳むのに用いる回転機構を設け、回転機構がスライド固定板を二枚のサブプレートに分け、かつ本体下側に前後に伸びるガイド溝を設け、二枚のサブプレートをガイド溝に挟み、前後移動に用いる。
【００１４】
フロント支持部とリア支持板の間の距離を調節する必要性から、必ずリア支持板と本体の調節方向における自由度を保証しなければならない。このときロック機構はアンロック状態にあり、リア支持板と本体の間には調節方向における自由度があるほか、その他方向においても拘束を受けない状態にある。これは取り付けプロセスにとってマイナスであり、取り付け難易度を下げるため、前記本体はその下側にガイド溝を設け、二枚のサブプレートを前記ガイド溝の中に挟み込み、前後スライドできるようにしている。こうすることでリア支持板と本体間のその他五つの自由度を制限し、取り付け効率を大きく向上した。さらに本特許の取り付けに影響を与えないように、ガイド溝は二枚のサブプレートが回転機構に沿って回転するのを防ぐことができる。
【００１５】
さらに、二枚のサブプレートは連結部でそれぞれ互いに結合できる凸起と溝を有している。
【００１６】
回転する必要がないとき、本特許の取り付けに影響を与えないように、二枚のサブプレートは凸起と溝でしっかりと結合固定できる。
【００１７】
さらに、二枚のサブプレートが連結部の上側で一つに繋がり、すべて直角となり、その中の一枚のサブプレートは連結部の下側が角丸であり、いずれか一枚のサブプレートのみが下に向かって反転できる。
【００１８】
リア支持板が後端にあり、スライド固定板が前端にあるとき、リア支持板は上に向かって反転することにより支持が不安定になることはなく、アンテナの取り付けをより安定させる。
【００１９】
さらに、前記リア支持部が一定角度を成して連結するリア支持板とスライド固定板を含み、スライド固定板とスライドロック機構は互いに係合して取り付け、本体下側に前後に伸びる第二滑り溝を設け、第二滑り溝にスライド固定板を前後に調節するのに用いるスライドロック機構を取り付ける。前記スライドロック機構は、両側に第二滑り溝をぴったりとくっつけた差込口を有する円柱形緊結材、緊結材上端にて固定するナット、円柱形緊結材とナットの中心を貫き、その底端に回転して第二スクリューキャップを固定し、スライド固定板を第二スクリューキャップと本体の間に取り付ける第二ボルトを含む。
【００２０】
ナットは緊結材上端に固定し回転できないため、第二スクリューキャップを通じて第二ボルトを上に向かって回転し、スライド固定板を本体に回転固定できる。また第二スクリューキャップを通じて第二ボルトを下に向かって絶えず回転し、スライド固定板を緩め、円柱形緊結材に滑り溝にてスライド固定板を前後にスライドさせることもできる。
【００２１】
薄型テレビアンテナの取り付け方式は、取付板を薄型テレビの頂部最先端に掛け、薄型テレビの幅に応じて、スライドロック機構を利用してスライド固定板を適切な位置に調節し、リア支持板に薄型テレビ背面で支えさせる。
【００２２】
さらに、スライド固定板が後にあり、リア支持板が前にある方式で取り付け使用するか、またはスライド固定板が前にあり、リア支持板が後にある方式で取り付け使用する。
【００２３】
スライド固定板が前にあり、リア支持が後にあるとき、リア支持板とフロント支持部の間の距離はより広く調節でき、幅のより広い薄型テレビに適用する。同時にスライド固定板がかなり突き出して壁面にぶつかる問題を回避できる。スライド固定板が後にあり、リア支持板が前にあるとき、リア支持板とフロント支持部の間の距離はより狭く調節でき、幅のより狭い薄型テレビに適用する。
【００２４】
さらに、薄型テレビ背面が平面であるとき、スライドロック機構を利用してフロント支持部とリア支持板の間の最短距離を薄型テレビの幅と同じになるまで調節する。薄型テレビ背面が一定角度の凸起を呈しているとき、スライドロック機構を利用してフロント支持部とリア支持板の間の距離を取り付け後に本体後端が本体前端より高くならないように調整する。
【００２５】
薄型テレビ背面が一定角度の凸起を呈しているとき、リア支持板が該凸起にて支えている場合、本体後端の高さが上がりやすく、本体後端を本体前端より高くして、アンテナと薄型テレビの見た目の調和を壊してしまう。さらにこのとき本体最先端にあるフロント支持部は薄型テレビ最先端で必ずしも結合するとは限らず、信頼性は低くいが、本特許はこの問題を効果的に解決できる。
【００２６】
従来技術に比べ、本特許の有益な効果が次の通りである。
【００２７】
（１）本実用新案は、フロント支持部とリア支持部の設置を通じて、アンテナ本体を薄型テレビの頂部に設置できるようにし、アンテナは薄型テレビの干渉を受けず、薄型アンテナの信号受信の質を保証している。さらに薄型テレビ頂部の余剰空間を十分に活用し、通常アンテナを設置するのに占用する有効空間を節約している。薄型アンテナの重量が軽く、通常１００g〜３００gの間であるため、フロント支持部とリア支持部は大きくする必要がなく、薄型テレビの見た目と調和を図って一つに設置でき、高い市場競争力を有する。また、前後に調節、固定できる本体上のリア支持部は本特許によりきちんとした適応性をもたらし、多様な幅規格の薄型テレビに対応できる。
【００２８】
（２）回転機構がスライド固定板を二枚のサブプレートに分けた。その中の一枚のサブプレートはスライドロック機構と固定するのに用い、もう一枚のサブプレート回転機構を通じて下に向かって回転し、壁面との衝突を回避する。回転する必要がないとき、本特許の取り付けに影響を与えないように、二枚のサブプレートはロック部とキャッチ部でしっかりと結合固定する。
【００２９】
（３）状況に合わせてスライドロック機構は異なる構造を採用して調節及び固定の二つの効果を実現し、使用者のスライド固定板の前後位置の調節を大いに便利にした。
【００３０】
（４）リア支持板の高さ、取付板の高さ、取付板と本体の間に形成される角度、本体幅、本体の長さなどの寸法はよりきちんとした効果を上げるために設計されたものであり、本特許の柔軟性、実用性及び観賞性に配慮している。
【００３１】
（５）薄型テレビアンテナの異なる取り付け方式は分表明了本特許が良好な柔軟性を有していることを十分に示している。特にリア支持部は反転使用でき、スライド固定板が後にあり、リア支持板が前にある、またはスライド固定板が前にあり、リア支持板が後にあるという二つの取り付け使用方法を選択でき、本特許の適用性を大きく高め、使用者は自分の必要性に基づいて取り付け方式を調整できる。
【図面の簡単な説明】
【００３２】
【図１】図１は本特許実施例１の概念図である。
【図２】図２は本特許実施例１の本体下側の概念図である。
【図３】図３は本特許実施例１のスライドロック機構と滑り溝の係合の概念図である。
【図４】図４は本特許実施例２のリア支持板の概念図である。
【図５】図５は本特許実施例３の概念図である。
【図６】図６は本特許実施例３のリア支持部の概念図である。
【図７】図７は本特許実施例３のリア支持部のもう一つの状態の概念図である。
【図８】図８は本特許実施例３のリア支持部のもう一つの実施方式の概念図である。
【図９】図９は本特許実施例３のリア支持部のもう一つの実施方式の概念図である。
【図１０】図１０は本特許実施例４の概念図である。
【図１１】図１１は本特許実施例４の二つの異なる方向の断面図である。
【図１２】図１２は本特許実施例４の二つの異なる方向の断面図である。
【図１３】図１３は本特許実施例５の概念図である。
【図１４】図１４は本特許実施例５の概念図である。
【考案を実施するための形態】
【００３３】
以下、図面及び具体的実施例を組合せて本発明を詳細に説明する。
【００３４】
＜実施例１＞
図１〜３に示す新型薄型テレビアンテナは、短冊状の本体１を含み、本体１最先端に薄型テレビ頂部最先端に引っ掛けるフロント支持部２を設け、下側にスライドロック機構３及び薄型テレビ背面を支えるリア支持部４を設け、リア支持部４はスライドロック機構３を通じて本体１に取り付け、リア支持４部がスライドロック機構３を通じて前後調整する。
【００３５】
リア支持部４は一定角度を成して連結するリア支持板４１とスライド固定板４２を含み、リア支持板４１とスライド固定板４２の間に構造強度を高めるのに用いるブラケット４６を設け、スライド固定板４２に前後に伸びる第一滑り溝４３を設け、第一滑り溝４３にスライド固定板４２を前後に調節するのに用いるスライドロック機構３を取り付ける。さらに、前記ブラケット４６はL形構造とし、前記L形構造の二つの分岐の間は円弧を描いて連結し、応力の集中を防ぎ、強度を高めている。
【００３６】
図３からわかるように、第一滑り溝４３の片側に鋸歯４４があり、スライドロック機構３に鋸歯４４の歯溝と噛合するＶ型板ばね３１を挟むように設ける。
【００３７】
＜実施例２＞
本実施例が実施例１と異なるのは、リア支持板４１に図４に示す引っ掛け穴４７を設けていることである。該引っ掛け穴はアンテナをテレビ裏側の壁に引っ掛けることができ、壁面にぴたりとくっついたテレビに用いることができ、同時に隠し効果を保ち、適応性が広く、ユーザー体験度を上げる。
【００３８】
＜実施例３＞
図５〜７に示す薄型テレビアンテナは、短冊状の本体１を含み、本体１最先端に薄型テレビ頂部最先端に引っ掛けるフロント支持部２を設け、下側にスライドロック機構３及び薄型テレビ背面を支えるリア支持部４を設け、リア支持部４はスライドロック機構３を通じて本体１に取り付け、リア支持部４はスライドロック機構３を通じて前後調整する。
【００３９】
リア支持部４は一定角度を成して連結するリア支持板４１とスライド固定板４２を含み、リア支持板４１とスライド固定板４２の構造強度を高めるのに用いるブラケット４６を設け、スライド固定板４２に前後に伸びる第一滑り溝４３を設け、第一滑り溝４３にスライド固定板４２を前後に調節するのに用いるスライドロック機構３を取り付ける。さらに、前記ブラケット４６はL形構造とし、前記L形構造の二つの分岐の間は円弧を描いて連結し、応力の集中を防ぎ、強度を高めている。
【００４０】
図６と７からわかるように、スライド固定板４２中央に折り畳むのに用いる回転機構４２１を設け、回転機構４２１はスライド固定板４２を二枚のサブプレート４２０に分け、二枚のサブプレート４２０は回転機構４２１部分にそれぞれ互いに結合するのに用いるロック部４２２とキャッチ部４２３がある。具体的にはロック部４２２は外に向かって伸び、両側に球状の突起があり、とキャッチ部４２３は内側に向かって凹み、両側に球状凸起に対応する球状の溝がある。
【００４１】
スライドロック機構３は第一滑り溝４３を通り抜ける第一ボルト及び第一ボルト底端に固定する第一スクリューキャップを含み、対応するように、本体１下側に第一ボルトに対応するネジ穴が開いている。
【００４２】
好ましくは、二枚のサブプレートは連結部の上側で一つにぴたりと繋がり、すべて直角となっている。具体的には図８と図９のaを参照のこと。そのうち一枚のサブプレートは連結部の下側が角丸である。具体的には図８と図９のbを参照のこと。図９に示すように、いずれか一枚のサブプレートのみが下に向かって反転できる。
【００４３】
＜実施例４＞
図１０〜１２に示す薄型テレビアンテナは、短冊状の本体１を含み、本体１最先端に薄型テレビ頂部最先端に引っ掛けるフロント支持部２を設け、下側にスライドロック機構３及び薄型テレビ背面を支えるリア支持部４を設け、リア支持部４はスライドロック機構３を通じて本体１に取り付け、リア支持部４がスライドロック機構３を通じて前後調整する。
【００４４】
リア支持部４は一定角度を成して連結するリア支持板４１とスライド固定板４２を含み、リア支持板４１とスライド固定板４２の間に構造強度を高めるのに用いるブラケット４６を設け、スライド固定板４２に前後に伸びる第一滑り溝４３を設け、第一滑り溝４３にスライド固定板４２を前後に調節するのに用いるスライドロック機構３を取り付ける。さらに、前記ブラケット４６はL形構造とし、前記L形構造の二つの分岐の間は円弧を描いて連結し、応力の集中を防ぎ、強度を高めている。
【００４５】
図１１と１２からわかるように、スライドロック機構３は、両側に第二滑り溝４５をぴったりとくっつけた差込口３２０を有する円柱形緊結材３２、緊結材３２上端にて固定するナット３３、円柱形緊結材３２とナット３３の中心を貫き、回転して第二スクリューキャップ３５を固定し、スライド固定板４２を第二スクリューキャップ３５と本体１の間に取り付ける第二ボルト３４を含む。
【００４６】
＜実施例５＞
実施例３と異なるのは、図１３と図１４に示すように、本実施例のリア支持板４１が一枚のサブプレート４２０の両側にヒンジで連結され、ブラケットを設置していないことである。保管または輸送中、リア支持板４１はスライド固定板４２と互いに平行となる位置まで回転でき、占用する空間を節約し、柔軟で手軽であり、使用時に再びスライド固定板４２と交差する位置にまで回転する。
【００４７】
具体的実施過程では、前記のすべての実施例は以下のように設定する。
【００４８】
リア支持板４１の高さは２〜６ｃｍ、一歩進んで２．５〜５ｃｍとする。フロント支持部２は本体最先端に沿って下に向かって伸びる取付板を含み、取付板の高さは０．５〜１．５ｃｍ、一歩進んで０．５〜１．０ｃｍとする。取付板と本体１の間に形成される角度は９０度とする。本体１の幅は５〜１０ｃｍ、一歩進んで５〜８ｃｍとし、本体１の長さは２５〜８０ｃｍ、一歩進んで３０〜６０ｃｍとする。
【００４９】
前記の全ての実施例の取り付け方法は次のように総括できる：取付板を薄型テレビの頂部最先端に掛け、薄型テレビの幅に応じて、スライドロック機構３を利用してスライド固定板４２を適切な位置に調節する。実施例１では、スライド固定板４２を前後移動することで第一滑り溝４３を前後に移動させ、移動中にＶ型板ばね３１が絶えず伸縮し、その先端部が異なる鋸歯４４の歯溝に挟まっている。実施例２では、第一スクリューキャップを回転して第一ボルトを緩め、その後第一滑り溝４３に沿ってスライド固定板４２を推して適切な位置まで前後移動し、再び第一スクリューキャップで第一ボルトを締め付ける。実施例３では、第二スクリューキャップ３５を回転して第二ボルト３４を緩め、その後第二滑り溝４５に沿って円柱形緊結材３２を推して、スライド固定板４２を適切な位置まで移動させる。以上三つの異なる操作方式によってリア支持板４１は薄型テレビ背面にて支える。
【００５０】
スライド固定板４２が後にあり、リア支持板４１が前にある方式で取り付けて使用する。特に、実施例２来では、第一スクリューキャップを回してスライド固定板４２前端のサブプレート４２０を固定するとき、後端のサブプレート４２０が壁面の妨害を受けた場合、回転機構４２１を利用して後端サブプレート４２０を下に回す。第一スクリューキャップを回してスライド固定板４２後端のサブプレート４２０に固定するとき、ロック部４２２の球状突起とキャッチ部４２３の球状の溝を利用して二枚のサブプレート４２０を一つに結合し、前端のサブプレート４２０が下に向かって回転し、取り付け使用を妨害しないようにする。以上取り付け方式のリア支持板４１が前にある場合、取付板までさらに近くなり、幅規格の狭い薄型テレビにより適している。
【００５１】
またはスライド固定板４２が前にありリア支持板４１が後にある方式で取り付けて使用する。特に、実施例２では、第一スクリューキャップを回したスライド固定板４２前端のサブプレート４２０に固定するとき、ロック部４２２の球状突起とキャッチ部４２３の球状の溝を利用して二枚のサブプレート４２０を一つに結合し、後端のサブプレート４２０が下に向かって回転して後にあるリア支持板４１が下に向かって回転し、取り付け使用を妨害しないようにする。
【００５２】
薄型テレビ背面が平面であるとき、スライドロック機構３を利用して取付板とリア支持板４１の間の最短距離が薄型テレビの幅と同じになるまで調節し、取付板とリア支持板４１が薄型テレビの前後両側を挟んで固定できるようにし、安定性がよい。薄型テレビ背面が一定角度の凸起を呈しているとき、スライドロック機構３利用して取付板とリア支持板４１の間の距離を取り付け後に本体１後端が本体１前端より高くならないように調整する。一方では本体１後端の重力とケーブルの下向きの引張力を利用して、本体１前端にある取付板を薄型テレビ頂部最先端にきつく固定し、もう一方でアンテナの薄型テレビ前面視角に占める割合を下げ、アンテナを薄型テレビにとって目立たないようにし、見た目の調和を保持する。
【図１】
0003215248.tif 000003
【図２】
0003215248.tif 000004
【図３】
0003215248.tif 000005
【図４】
0003215248.tif 000006
【図５】
0003215248.tif 000007
【図６】
0003215248.tif 000008
【図７】
0003215248.tif 000009
【図８】
0003215248.tif 000010
【図９】
0003215248.tif 000011
【図１０】
0003215248.tif 000012
【図１１】
0003215248.tif 000013
【図１２】
0003215248.tif 000014
【図１３】
0003215248.tif 000015
【図１４】
0003215248.tif 000016